(57)【要約】【課題】マイナスイオン発生部をコンパクトでき、口腔内等に挿入しても安全であり、充分な量のマイナスイオンを全空間に渡って均一に放出可能なマイナスイオン発生器を提供する。【解決手段】このマイナスイオン発生器１０は、マイナス電圧を印加する電源ユニット２０と、ここから伸びるケーブル３０と、ケーブル３０の末端に接続されるマイナスイオン発生部５０とからなる。マイナスイオン発生部５０は、軸体９１を介して接続される放電体９２と、軸体９１及び放電体９２を覆う放電体カバー８０とを備え、電源ユニット２０によりマイナス電圧を付与し、軸体９１を介して放電体９２からマイナスイオンを発生させる。軸体９１は紙、木、又は樹脂からなり、放電体９２が繊維状物からなることが好ましい。【選択図】　図１
2004113612.tif 000002
【特許請求の範囲】
【請求項１】
マイナス電圧を印加する電圧供給手段と、この電圧供給手段に軸体を介して接続される放電体と、前記軸体及び前記放電体を覆う筒状ケースとを備え、前記電圧供給手段により、前記軸体を介して前記放電体にマイナス電圧を付与するように構成されていることを特徴とするマイナスイオン発生器。
【請求項２】
前記軸体が紙、木、又は樹脂からなり、前記放電体が繊維状物からなる請求項１記載のマイナスイオン発生器。
【請求項３】
前記放電体が綿からなる請求項２記載のマイナスイオン発生器。
【請求項４】
前記電圧供給手段が、５．０〜７．０ｋＶのマイナス電圧を印加できるものである請求項１〜３のいずれか１つに記載のマイナスイオン発生器。
【請求項５】
口臭軽減又は歯周病治療に用いられる請求項１〜４のいずれか１つに記載のマイナスイオン発生器。
【請求項６】
水虫の治療に用いられる請求項１〜４のいずれか１つに記載のマイナスイオン発生器。
【発明の詳細な説明】
【０００１】
【発明の属する技術分野】
本発明は、マイナスイオンを利用して、口臭軽減や歯周病治療、水虫の治療等を行なうためのマイナスイオン発生器に関する。
【０００２】
【従来の技術】
近年、マイナスイオンが人体に対して良い結果をもたらすことが注目されており、活性酸素の抑制作用、ストレス抑制作用、免疫活性の向上、高血圧症や自律神経障害の治療等の、健康・医療分野等において、マイナスイオンを利用することが研究されている。また、マイナスイオンによる消臭効果を利用して口臭軽減を行なうこと等も検討されている。
【０００３】
マイナスイオン発生器としては、従来より各種のタイプが知られており、例えば、マイナスイオンを発生するための複数の放電電極部を有するマイナスイオン発生装置であって、前記複数の放電電極部のうち、隣接する一の放電電極部と他の放電電極部とにおいて、針状の先端部の向いている方向が互いに広がる方向に配置されているマイナスイオン発生装置が開示されている（特許文献１参照）。
【０００４】
また、マイナスイオンによる消臭効果を利用して歯周炎，顎関節炎などを鎮静し、口臭，肩こりなどを解消する技術として、尖部を有するガラス容器と、該ガラス容器内に封入され、マイナスイオン化された少なくともＳｉ又はＳｉＯｘ　（０＜ｘ≦２）とを有することを特徴とする歯用活性化具が開示されている（特許文献２参照）。
【０００５】
【特許文献１】
特開２００１−３２１６６１号公報
【特許文献２】
特開２０００−１８９４４２号公報
【０００６】
【発明が解決しようとする課題】
しかしながら、上記の特開２００１−３２１６６１号公報に開示されているような通常のマイナスイオン発生装置においては、放電体として複数の針状の先端部を備えている。したがって、例えば、上記のように口腔内に挿入するような用途に適用する場合にはコンパクト性に欠けるという問題があった。
【０００７】
また、放電部分が針状をなしていることから、そのまま口腔内に挿入した場合、又は針状電極が誤って露出した場合には口腔内を損傷する恐れがあり安全性にも問題があった。また、針状電極の先端からのマイナスイオンの発生は針の軸方向に強く、その周囲へは弱いという指向性があり、口腔内の空間全体に渡って均一に多数のマイナスイオンを照射することが困難であった。
【０００８】
また、特開２０００−１８９４４２号公報の歯用活性化具においては、あらかじめマイナスイオン化された物質を歯内に埋設したものであるので、マイナスイオンの発生量が少なく効果が不充分であるという問題があった。
【０００９】
したがって、本発明の目的は、マイナスイオンの発生部をコンパクト化でき、また、口腔内等に挿入しても安全であり、更に指向性がなく全空間に渡ってマイナスイオンを均一に放出可能であり、しかも、口臭軽減や歯周病治療、水虫の治療等を行なうのに充分な量のマイナスイオンを発生させることが可能なマイナスイオン発生器を提供することにある。
【００１０】
【課題を解決するための手段】
上記目的を達成するため、本発明は、マイナス電圧を印加する電圧供給手段と、この電圧供給手段に軸体を介して接続される放電体と、前記軸体及び前記放電体を覆う筒状ケースとを備え、前記電圧供給手段により、前記軸体を介して前記放電体にマイナス電圧を付与するように構成されていることを特徴とするマイナスイオン発生器を提供するものである。
【００１１】
本発明によれば、電圧供給手段に軸体を介して放電体を接続したので、例えば、口腔内に挿入して口臭軽減又は歯周病治療に用いる場合にもコンパクトな構成とすることができる。また、電圧供給手段により放電体からマイナスイオンを放出するように構成したので、マイナスイオン化された物質を歯内に埋設した場合に比べて多量のマイナスイオンを発生させることができる。
【００１２】
本発明においては、前記軸体が紙、木、又は樹脂からなり、前記放電体が繊維状物からなることが好ましい。
【００１３】
これによれば、放電体を繊維状物とすることにより、放電体の全表面に形成される各繊維の先端からマイナスイオンが放出されるので、マイナスイオンの発生効率を高めて充分な量のマイナスイオンを、あらゆる方向に向かって発生させることができる。また、繊維状物が柔軟であるので、誤って軸部及び放電部が露出して直接口腔内等に接触した場合においても安全性が高い。更に、軸体を紙、木又は樹脂とすることにより、放電体におけるマイナスイオンの発生を減衰させることなく、マイナスイオンの発生効率を向上させることができる。
【００１４】
また、本発明においては、前記放電体が綿からなることが好ましい。これによれば、綿は特にマイナスイオンが発生しやすく、また、天然繊維であるので安全性も高く、本発明に極めて好適に用いられる。
【００１５】
更に、本発明においては、前記電圧供給手段が、５．０〜７．０ｋＶのマイナス電圧を印加できるものであることが好ましい。これによれば、放電体から充分な量のマイナスイオンを発生させることができる。
【００１６】
また、本発明においては、上記のマイナスイオン発生器が、口臭軽減又は歯周病治療に用いられることが好ましい。また、水虫の治療に用いられることが好ましい。本発明のマイナスイオン発生器は、上記のように人体に対して安全であり、マイナスイオンの発生効率に優れ、しかもコンパクトであるので、上記の用途に特に好適に用いられる。
【００１７】
【発明の実施の形態】
図１〜５には本発明によるマイナスイオン発生器の一実施形態が示されている。図１はマイナスイオン発生器の概略図、図２は同発生器のマイナスイオン発生部の分解斜視図、図３は同発生器のマイナスイオン発生部の断面図、図４は、同発生器の電源ユニットにおける回路図、図５は、同発生器の使用状態を示す図であって、マイナスイオン発生部を口腔内に挿入した状態を示す概略図である。
【００１８】
図１に示すように、このマイナスイオン発生器１０は、マイナス電圧を発生させるための電源ユニット２０と、この電源ユニット２０から伸びるケーブル３０と、ケーブル３０の先端に接続されたマイナスイオン発生部５０とから主に構成されている。
【００１９】
電源ユニット２０及びケーブル３０は、本発明における電源供給手段を構成している。電源ユニット２０には、その前面に、電源スイッチ２１、タイマー動作等の作動状態を示す動作表示ランプ２２、電源ランプ２３、及びケーブル接続部２４が設けられている。また、電源ユニット２０の背面には、図示しない電源プラグが設けられており、ＡＣ１００Ｖで駆動できるようになっている。
【００２０】
電源ユニット２０の内部には、図４に示すように、高電圧回路４０を含む回路が設けられており、ＡＣ１００Ｖ電圧が入力される入力端子２５から、電源スイッチ２１及びフューズ２６を介して高電圧回路４０に接続され、出力端子２７から、５．０〜７．０ｋＶのマイナス電圧を取り出すようになっている。
【００２１】
高電圧回路４０は、ＡＣ１００Ｖ電圧が入力される直流定電圧回路４１と、この直流定電圧回路４１に接続される発振回路４２とを備え、直流定電圧回路４１と発振回路４２からの出力が、トランス４３によって変圧された後、倍電圧回路４４を介して、出力端子２７に接続されるように構成されている。
【００２２】
また、入力端子２５と高電圧回路４０との間にはタイマー２８が設けられており、このタイマー２８によって、マイナスイオンの発生時間を調整できるようになっている。
【００２３】
なお、本発明における電源ユニット２０としては、特に上記のものに限定されず、出力端子からのマイナス電圧として、５．０〜７．０ｋＶのマイナス電圧を印加できるように構成されているものであればよい。
【００２４】
電源ユニット２０のケーブル接続部２４からは、ケーブル３０が伸びている。ケーブル３０は、図２に示すように芯線３１を樹脂等で被覆した公知のものを用いることができる。また、ケーブル３０の長さは特に限定されないが、３ｍ以内が好ましい。
【００２５】
ケーブル３０の末端は、マイナスイオン発生部５０に接続されている。図２、３に示すように、マイナスイオン発生部５０は、電線３１の末端に接続されるマイナス電極３５と、マイナス電極３５に一端が挿入された軸体９１と、更に、軸体９１の先端に設けられた球状の放電体９２とより主に構成されている。また、軸体９１及び放電体９２を覆う筒状ケースとして、外筒６０及び放電体カバー８０が、中間スリーブ７０によって連結されている。
【００２６】
ケーブル３０の末端部分は被覆カバー３２で覆われており、内部の電線３１の末端は、マイナス電極３５に接続されている。マイナス電極３５としては特に限定されず、従来公知の金属電極等を用いることができる。また、電線３１とマイナス電極３５との接合は、はんだ付け等によって行なうことができ特に限定されない。
【００２７】
マイナス電極３５には、軸体９１の一端が挿入され、バネ弾性によって保持されている。この軸体９１によって、放電体９２におけるマイナスイオンの発生を安定的に行なうことができる。軸体９１の材質としては、紙、木、又は樹脂からなることが好ましく、紙又は木であることがより好ましく、紙であることが特に好ましい。
【００２８】
軸体９１の大きさは特に限定されないが、安定的にマイナスイオンを発生させるために、軸長さ１〜４ｃｍ、太さ１〜５ｍｍであることが好ましい。また、軸体９１は、軸形状であれば特に限定されず、筒状であってもよい。
【００２９】
軸体９１の他端の先端部分には、繊維状をなしている球状の放電体９２が接合されている。
【００３０】
本発明においては、マイナスイオンを効率良く充分な量発生させるために、放電体９２の形状と材質を選択することが重要である。放電体９２の形状としては繊維状物であることが好ましい。これによって、各繊維の先端部分からマイナスイオンが発生するので、従来より多量のマイナスイオンを発生させることができる。また、繊維状物が球状であるので、全空間に渡って均一にマイナスイオンを発生させることができ、金属の針状電極のように特定方向にのみマイナスイオンが発生するのを防止できる。
【００３１】
放電体９２の材質としては、植物繊維であることが好ましく、綿であることがより好ましい。一方、放電体の材質が化学繊維や、鳥の羽等であると、マイナスイオンの発生量が減少するので好ましくない。このような本発明に好適に用いられる軸体９１及び放電体９２としては、紙軸に植物性の綿を接続したものが例示できる。
【００３２】
上記のマイナス電極３５、軸体９１及び放電体９２を覆うような筒状ケースとして、外筒６０及び放電体カバー８０が、中間スリーブ７０によって連結されている。
【００３３】
外筒６０は、末端の電線３１が納入される側に、キャップ６２が設けられ、更に、キャップ６１内には導入口６１が設けられて、ケーブル３０が挿入されるようになっており、この外筒６０によって、ケーブル３０を保護している。外筒６０の材質としては、金属やプラスチック等を用いることができる。
【００３４】
外筒６０の他端の開口部には、中間スリーブ７０の差込み部７１が差込まれている。中間スリーブ７０は、外筒６０と放電体カバー８０とを連結するために設けられており、外筒６０の内部に差込んで連結するためのテーパー状の差込部７１と、放電体カバー８０の内部にねじ込んで連結するためのネジ部７２が設けられている。
【００３５】
中間スリーブ７０の材質としては、感電を防ぐために非導電性の材質であることが好ましく、絶縁性の高いテフロン等のプラスチック成形品であることが好ましい。
【００３６】
中間スリーブ７０のネジ部７２には、筒状の放電体カバー８０が連結されている。この、放電体カバー８０は、基部８２及びカバー部８３とからなり、基部８２とカバー部８３との境にはフランジ８１が設けられている。
【００３７】
放電体カバー８０は、図３に示すように、その筒内に軸体９１及び放電体９２が挿入され、これらを保護して剛性を保持するとともに、口腔内等に挿入した際に、人体への感電を防ぐ役割をなしている。また、フランジ８１によって、口腔内等に挿入した際に、必要以上にマイナスイオン発生部５０が口腔内に挿入されるのを防止する役割もなしている。放電体カバー８０の材質は、中間スリーブ７０と同様に、人体の感電を防ぐために非導電性の材質であることが好ましく、絶縁性の高いテフロン等のプラスチック成形品であることが好ましい。
【００３８】
放電体カバー８０のカバー部８３の先端には、口腔内に挿入した際に、唾液等が放電体カバー８０の内部に入るのを防止するためのフィルター９３が設けられている。このフィルター９３の材質としては、マイナスイオンが通過できる材料であれば特に限定されないが、放電体９２と同じ材質であることが好ましく、綿であることがより好ましい。また、放電体９２とフィルタ９３とは離れていてもよいが、充分なマイナスイオンの発生量を得るためには、図３に示すように、放電体９２とフィルタ９３とが接していることが好ましい。
【００３９】
次に、上記のマイナスイオン発生器１０の使用方法について、人体の口腔内に挿入して口臭軽減、歯周病治療に用いる場合を例に挙げて説明する。
【００４０】
まず、図５に示すように、マイナスイオン発生部５０のカバー部８３を、口腔９５内に挿入する。このとき、基部８２及び外筒６０によって、マイナスイオン発生部５０を手で保持することができる。また、フランジ８１によって、口腔９５内への挿入量を調整し、必要以上にマイナスイオン発生部５０が口腔９５内に挿入されるのを防止することができる。
【００４１】
次に、電源スイッチ２１を入れ、電源ユニット２０からマイナス電圧を発生させてマイナス電極３５にマイナス電圧を印加する。ここで、印加電圧としては、５．０〜７．０ｋＶのマイナス電圧であることが好ましい。印加電圧が５．０ｋＶ未満であると、マイナスイオンの発生量が不足するので好ましくなく、７．０ｋＶを超えて印加すると、オゾン発生の原因となり、また、安全性の点で好ましくない。
【００４２】
これにより、マイナス電極３５から軸体９１を介し、放電体９２からマイナスイオンが発生する。発生したマイナスイオンは、カバー部８３及びフィルター９３を通過して口腔９５内に均一に照射される。ここで、マイナスイオンの発生数は、使用目的や使用部位等によって適宜選択される。
【００４３】
上記のマイナスイオン発生器１０によれば、マイナスイオンの発生部をコンパクトできるので口腔内等への挿入が容易であり、また、放電体に針状の電極を用いなくてもよいのでカバーが外れた場合等でも安全である。また、放電体に指向性がなく、全空間に渡ってマイナスイオンを均一に放出可能であり、しかも、口臭軽減や歯周病治療等を行なうのに充分な量のマイナスイオンを発生させることができる。
【００４４】
なお、本発明のマイナスイオン発生器は、上記の口臭軽減や歯周病治療等の用途の他、例えば、水虫の治療等にも好適に用いることができる。
【００４５】
【実施例】
実施例１
図１〜４に示すマイナスイオン発生器１０を用い、電源ユニット２０からマイナス電圧として６．７ＫＶを印加して、放電体９２よりマイナスイオンを発生させ、マイナスイオンの発生量の分布を測定した。なお、軸部９１として径２ｍｍ、長さ４ｃｍの円柱状の紙を使用し、放電体９２として繊維状の綿を用いた。
【００４６】
マイナスイオンの発生量は、マイナスイオン測定装置（エアーイオンカウンター）によって計測した。その結果を図６、７に示す。図中、ＫＣ（キロカウント）は発生したマイナスイオン数の１／１０００を示している。したがって、２５００Ｋはマイナスイオン数が２５０００００個／ｃｍ３であることを意味する。
【００４７】
図６は、横軸に放電体９２からの距離Ｄ、縦軸に発生した１ｃｍ３あたりのマイナスイオン数を示している。これによれば、放電体９２からの距離Ｄが増加するにつれて、指数的にマイナスイオン数が減少しているが、放電体９２から２０ｃｍ以内では、２００万個／ｃｍ３以上のマイナスイオンが発生しており、充分な量のマイナスイオンが得られることがわかる。
【００４８】
図７は放電体９２からのマイナスイオン数の平面分布を示している。図７の中心が放電体である。これによれば、本発明のマイナスイオン発生器においては、放電体９２から、ほぼ３６０度の全範囲に渡って均一にマイナスイオンが発生していることがわかる。
【００４９】
実施例２
実施例１と同じマイナスイオン発生器１０を用い、口腔内の口臭抑制効果について評価した。
【００５０】
マイナスイオンは、発生数２００万個以上／ｃｍ３の条件で口腔内に１０分間照射し、照射前後の口臭測定、及び、唾液中の嫌気性菌数を測定した。その結果を図８、９に示す。
【００５１】
口臭測定は、マイナスイオン照射前、照射直後（０分）、照射後１５分、３０分、１時間における口臭を測定した。測定は口臭測定器（株式会社ヨシダ製、商品名：ブレストロンＢＴ−８１４）を用いて、揮発性硫黄化合物（Ｖ．Ｓ．Ｃ）濃度を測定した。なお、測定値は被験者５名の平均値とした。
【００５２】
唾液中の嫌気性菌数は、マイナスイオン照射前、照射直後（０分）、照射１時間後に唾液を採取し、１０−４〜１０−６まで連続希釈を行ない、血液寒天平培地上に０．１ｍｌ滴下し、嫌気的条件下にて３７℃、７２時間培養後のコロニー数を測定した。なお、測定値は被験者３名の平均値とした。
【００５３】
図８から、Ｖ．Ｓ．Ｃ濃度は、照射直後に減少し、照射１５分後において最も低い値となり、照射１時間後においては若干上昇するものの、照射前に比べて低い数値であり、本発明においては口臭濃度が低下していることがわかる。
【００５４】
また、図９から、照射前と比較して照射直後において嫌気性菌数の有意な減少が認められ、照射１時間後においては若干上昇するものの、照射前に比べて低い数値であり、本発明においては口臭濃度の原因となる嫌気性菌数が低下していることがわかる。
【００５５】
【発明の効果】
以上説明したように、本発明のマイナスイオン発生器によれば、先端部は柔軟性を有しており口腔内等に挿入しても安全であり、発生するマイナスイオンに指向性がなく全空間に渡って均一にマイナスイオンを放出可能であり、しかも、口臭軽減や歯周病治療、水虫の治療等を行なうのに充分な量のマイナスイオンを発生させることが可能なマイナスイオン発生器を提供することができる。このマイナスイオン発生器は、口臭軽減や歯周病治療、水虫の治療等に好適に用いられる。
【図面の簡単な説明】
【図１】本発明のマイナスイオン発生器の概略図である。
【図２】同発生器のマイナスイオン発生部の分解斜視図である。
【図３】同発生器のマイナスイオン発生部の断面図である。
【図４】同発生器の電源ユニットにおける回路図である。
【図５】同発生器の使用状態を示す図であって、マイナスイオン発生部を口腔内に挿入した状態を示す概略図である。
【図６】実施例におけるマイナスイオンの数を測定した図表である。
【図７】実施例におけるマイナスイオンの数を測定した図表である。
【図８】実施例における揮発性硫黄化合物の測定結果を示す図表である。
【図９】実施例における嫌気性菌数の測定結果を示す図表である。
【符号の説明】
１０　マイナスイオン発生器
２０　電源ユニット
２１　電源スイッチ
２２　動作表示ランプ
２３　電源ランプ
２４　ケーブル接続部
２５　入力端子
２６　フューズ
２７　出力端子
２８　タイマー
３０　ケーブル
３１　電線
３２　被覆カバー
３５　マイナス電極
４０　高電圧回路
４１　直流定電圧回路
４２　発振回路４２
４３　トランス
４４　倍電圧回路
５０　マイナスイオン発生部
６０　外筒
６１　導入口
６２　キャップ
７０　中間スリーブ
７１　差込部
７２　ネジ部
８０　放電体カバー
８１　フランジ
８２　基部
８３　カバー部
９１　軸体
９２　放電体
９３　フィルター
９５　口腔
【図１】
2004113612.tif 000003
【図２】
2004113612.tif 000004
【図３】
2004113612.tif 000005
【図４】
2004113612.tif 000006
【図５】
2004113612.tif 000007
【図６】
2004113612.tif 000008
【図７】
2004113612.tif 000009
【図８】
2004113612.tif 000010
【図９】
2004113612.tif 000011